(57)【特許請求の範囲】
【請求項１】
表裏両面のうちの一方の側面が粘着面とされ、電子部品を搬送するキャリアテープ同士を接続する際に、前記キャリアテープの表面を覆うカバーテープ同士を接続する接続テープであって、
左右側縁部の間の中央部が、前記左右側縁部の厚みより薄くされていることを特徴とする接続テープ。
【発明の詳細な説明】
【０００１】
【発明の属する技術分野】
本発明は、電子部品を搬送するキャリアテープ同士を接続する際にキャリアテープの表面を覆うカバーテープ同士を接続する接続テープ及び該接続テープを用いたカバーテープの接続方法に関するものである。
【０００２】
【従来の技術】
コンデンサ等の電子部品を電子回路基板に搭載する電子部品搭載装置（以下「装置」という。）には、電子部品を供給するテープフィーダが備えられている。具体的に、テープフィーダは、電子部品を一列に並べた状態で保持した部品搬送テープを送り出して、その送り出す途中で部品搬送テープの表面を構成するカバーテープを剥離し、カバーテープに覆われた状態の電子部品を露出させた状態にして電子部品を部品供給位置に搬送するものである。なお、図６に示すように、「部品搬送テープＡ」とは、長手方向に沿って設けられた複数の矩形状の凹部１ａに電子部品１０がそれぞれ収納されかつこの電子部品１０を搬送方向に搬送するキャリアテープ１と、複数の各凹部１ａを長手方向に覆うようにキャリアテープ１の表面を覆うカバーテープ２とから構成されている。
【０００３】
ここで、図７（ａ）に示すように、キャリアテープ１からカバーテープ２を剥離する際には、通常、カバーテープ２を剥離する際に、剥離位置を規制するとともに、電子部品１０がカバーテープ２に付いてキャリアテープ１の凹部１aから出たり、凹部１a内で電子部品１０が寝た状態から立った状態になってしまうのを防止するための部材（以下剥離用部材という。）３をカバーテープ２の上方に配設し、搬送方向に搬送されるキャリアテープ１からカバーテープ２を上方に引き上げるように巻きとって、カバーテープ２を剥離している。このとき、上方に引き剥がされたカバーテープ２は、剥離用部材３に設けられかつカバーテープ２の幅方向に沿って設けられたスリット部３ａを通過するようになっている。このようにカバーテープを剥離することで、カバーテープ２が引き剥がされるのと同時にキャリアテープ１に収納された電子部品１０が静電気等に起因して立ち上がる（図７（ｂ）参照）ことを防ぐことができる。すなわち、電子部品１０の姿勢不良等を防止することができる。前記スリット部３ａは、その内部に電子部品１０が入り込まないように、電子部品１０が小さければ小さいほどスリット部３ａの幅を極力狭くすることが好ましい。しかしながら、幅を狭くし過ぎると、例えば、カバーテープ２の裏面に付着している糊材及び紙製のキャリアテープ１の紙粉（紙の繊維等）等がスリット部３ａに溜まり、カバーテープ２を円滑に通過させることができなくなる可能性がある。そこで、図７（ａ）及び図８に示すように、スリット部３ａの形状を工夫して、略中央に位置する中央部３ｂの幅を該中央部３ｂの左右両側の幅よりも狭くしている。
【０００４】
ところで、部品搬送テープＡは初めリールに巻かれた状態とされている。そして、電子部品１０をテープフィーダの電子部品供給位置に搬送するために順次部品搬送テープＡを搬送方向に送り出すとともに送り出す途中でカバーテープ２を剥離する。そして、リールに巻かれた状態の部品搬送テープＡが搬送され尽くしてリールが空になった場合には、リールが空になったテープフィーダを装置から外し、新たなテープフィーダを装置にセットする。この際には、装置を一旦停止してテープフィーダを交換することになり、テープフィーダの交換により作業が遅れることになる。ここで、このようなテープフィーダの交換に要する時間をなくすために、順次搬送される部品搬送テープＡの残りがわずかとなったところで、この部品搬送テープＡの後端部と新規な部品搬送テープＡの先端部とをつなぎ合わせ、テープフィーダのリールだけ交換する手法が考案されている。この手法を「スプライシング」と呼んでいる。そして、実際に、スプライシングするときには、図８に示すように、二つの部品搬送テープＡの端部同士を接続する部材として粘着面を備えるビニール製の接続テープ４を用い、二つの部品搬送テープＡの端部同士にまたがってこの接続テープ４を貼付することによりスプライシングを行っている。この接続テープ４を通常「スプライシングテープ」と呼んでおり、以下の説明では、接続テープ４をスプライシングテープ４という。なお、前述したように、部品搬送テープＡはキャリアテープ１及びカバーテープ２の二種のテープにより構成されており、スプライシングテープ４によりキャリアテープ１とカバーテープ２の両方をスプライシングする。すなわち、キャリアテープ１同士及びカバーテープ２同士をそれぞれ別個に接続している。なお、図８では、キャリアテープ１のスプライシングを省略しており、カバーテープ２のスプライシングだけを図示している。
【０００５】
【発明が解決しようとする課題】
ところで、キャリアテープ１からカバーテープ２を剥離することを考慮した際に、キャリアテープ１同士は周知のスプライシングテープを用いて特に問題無くスプライシングを行えるが、スプライシングテープ４を用いてカバーテープ２同士をスプライシングすることに以下の問題が生じた。すなわち、カバーテープ２とスプライシングテープ４とが貼付された部分は少なくともこれらテープ二枚分の厚みを有し、この部分が剥離用部材３のスリット部３ａを通過するとき、スリット部３ａのうち幅が狭くされた中央部３ｂを通過しにくくなる。そして、これに対応して、剥離用部材３のスリット部３ａにおける中央部３ｂの幅を広げる必要がある。しかし、スリット部３ａの幅を広げすぎてしまうと、カバーテープ２が引き剥がされるのと同時に電子部品１０が静電気等に起因して立ち上がってしまい、電子部品１０の姿勢不良等を招くという前述の問題が再び生じてしまう。
【０００６】
そこで、本発明の課題は、スリット部の幅を広げなくとも前記スリット部をスプライシングしたカバーテープが円滑に通過できる接続テープ及び該接続テープを用いたカバーテープの接続方法の提供することである。
【０００７】
【課題を解決するための手段】
この課題を解決するため、請求項１記載の発明は、例えば図２（ａ）に示すように、表裏両面のうちの一方の側面が粘着面とされ、電子部品を搬送するキャリアテープ同士を接続する際に、前記キャリアテープの表面を覆うカバーテープ（２）同士を接続する接続テープ（５）であって、
左右側縁部（５ａ、５ｂ）の間の中央部（５ｃ）が、前記左右側縁部の厚みより薄くされていることを特徴とする。
【０００８】
請求項１記載の発明によれば、接続テープをカバーテープ同士にまたがって貼付することによってカバーテープ同士を接続することができる。また、この際に、接続テープの薄い中央部とカバーテープの幅方向の中央部とがほぼ一致するようにカバーテープに接続テープを貼付する。ここで、図７（ａ）を参照して説明すると、接続テープを貼付した状態でカバーテープを剥離用部材３のスリット部３ａに通過させるとき、接続テープの中央部はスリット部３ａにおける幅の狭い中央部３ｂを通過し、接続テープの左右側縁部はスリット部３ａにおける幅の広い左右端部をそれぞれ通過することになる。このとき、接続テープとカバーテープとの貼付部分はテープ二枚分の厚みを有しているが、貼付部分の中央部に着目すると、接続テープの中央部は左右側縁部よりも厚みが薄くなっているので、貼付部分の中央部の厚みも左右側縁部よりも薄くなっている。従って、剥離用部材３のスリット部３ａにおける中央部３ｂの幅をほとんど又は全く広げること無く、接続テープの中央部はスリット部３ａにおける幅の狭い中央部３ｂを円滑に通過できる。これにより、電子部品の立ち上がりに起因する電子部品の姿勢不良等といった従来の問題点を解決することができる。
なお、「粘着面」とは、接着面も含むものであり、いわゆる糊材、粘着材、接着剤等の粘着性や接着性を有する材料が塗布等により層状に形成された面である。
【００１５】
【発明の実施の形態】
以下、本発明の接続テープ及び該接続テープを用いたカバーテープの接続方法に係る実施の形態について、図面を参照して説明する。
なお、本発明の接続テープは、従来技術で説明したスプライシングテープ４と同様の機能を有するものであって、具体的には、電子部品を搬送するキャリアテープ同士を接続する際にキャリアテープの表面を覆うカバーテープ同士を接続するものである。ここで、キャリアテープ並らびにキャリアテープを覆うカバーテープ並らびにこれらテープから構成される部品搬送テープは、従来と同様であるので、これらテープには図６に示した符号と同様の符号を付して詳細な説明を省略する。また、部品搬送テープＡは、従来技術で説明した周知のテープフィーダ（以下「フィーダ」という。）に用いられる。
【００１６】
フィーダについて簡単に説明すると、図１に示すように、フィーダ２０は、フィーダバンク本体に取り外し自在にセットされるとともに部品搬送テープＡが巻かれるリール２１と、部品搬送テープＡを搬送方向に送り出す送り機構２２と、カバーテープ２をキャリアテープ１から引き剥がして回収する回収リール２３とを備えている。このフィーダ２０は、送り機構によってリール２１に巻かれた状態の部品搬送テープＡを搬送方向（同図中の矢印参照）に送り出し（搬送し）、その搬送の途中でキャリアテープ１からカバーテープ２を回収リール２３に巻き取ることで剥離する。剥離されたカバーテープ２は、回収リール２３に順次巻かれることにより回収リール２３に回収される。なお、キャリアテープ１は、フィーダ２０本体の下方に搬送されて、フィーダ２０の外部へ排出される。
【００１７】
フィーダ２０の動作においてキャリアテープ１からカバーテープ２を剥離する際には、従来技術で示したように、カバーテープ２の上方に設けた剥離用部材３のスリット部３ａを介してカバーテープ２を剥離している。剥離用部材３についてより詳細に説明すると、図７（ａ）に示すように、剥離用部材３は、カバーテープ２の幅と略同様の又はカバーテープ２の幅よりもやや広いスリット部３ａを備えている。スリット部３ａ近傍を平面視すると、図７（ｃ）に示すように、剥離用部材３の突出部３ｃがスリット３ａの内側に入りこむように形成されており、これによりスリット部３ａの中央部３ｂの幅が左端部３ｄ及び右端部３ｅの幅よりも狭くなっている。また、ここで、カバーテープ２は、図６に示すように、左側縁部２ａ及び左側縁部２ｂの裏面が粘着面とされており、キャリアテープ１の表面を覆った状態ではこれら左右側縁部２ａ、２ｂの裏面がキャリアテープ１の表面（凹部１ａの左右側縁側）に粘着するようになっている。（なお、左右側縁部２ａ、２ｂ間の中央部２ｃの裏面は粘着面とはされておらず、電子部品１０がカバーテープ２の中央部２ｃの裏面に粘着することはない。）従って、図７（ａ）に示すように、カバーテープ２をキャリアテープ１から引き剥がす際には、カバーテープ２の表面が裏返されるようにカバーテープ２が搬送されるとともに、カバーテープ２の中央部２ｃはスリット部３ａにおける幅の狭い中央部３ｂを通過し、カバーテープ２の左右側縁部２ａ、２ｂはスリット部３ａにおける幅の広い左右側縁部３ｄ、３ｅを通過する。従って、カバーテープ２における左右側縁部２ａ、２ｂの裏面の粘着面に紙製のキャリアテープ１の紙粉（紙の繊維等）が付着していたとしても、剥離用部材３のスリット部３ａにおける左右端部３ｄ、３ｅは幅が広くされているので、スリット部３ａにカバーテープの糊材及び紙粉等が詰まることはない。
【００１８】
次に、本発明の接続テープ及びカバーテープの接続方法について詳細に説明する。なお、本発明の接続テープには四種の態様があり、第一〜第四の態様として、それぞれの態様を備える接続テープを説明する。
【００１９】
［第一の態様］
図２（ａ）に示す接続テープ５は、カバーテープ２と略同様の幅を有している。接続テープ５の表面に着目すると、左側縁部５ａと右側縁部５ｂとの間の中央部５ｃの厚みは、左右側縁部５ａ、５ｂの厚みより薄くされている。なお、接続テープ５の裏面が粘着面とされている。カバーテープ２同士を接続するには、二本のカバーテープ２の端部２ｄ同士を当接させた状態又は端部２ｄ同士にやや間隔を開けた状態とする。そして、接続テープ５をカバーテープ２と略平行になるように配設しカバーテープ２の裏面側に粘着面（接続テープ５の裏面）を向けて、接続テープ５を端部２ａ同士にまたがるにように貼付すればよい。
【００２０】
ここで、接続テープ５をカバーテープ２に貼付した状態でカバーテープ２を剥離用部材３のスリット部３ａに通過させる際には、接続テープ５の中央部５ｃは剥離用部材３のスリット部３ａの中央部３ｂを通過し、接続テープ５の左右側縁部５ａ、５ｂはスリット部３ａの左右端部３ｄ、３ｅを通過する。このとき、接続テープ５の中央部５ｃの厚みは薄くされているので、接続テープ５とカバーテープ２との貼付部分はテープ二枚分の厚みを有しているにもかかわらず、接続テープ５の中央部５ｃはスリット部３ａにおいて幅の狭い中央部３ｂを円滑に通過できる。従って、スリット部３ａの幅をほとんど又は全く広げる必要が無い。これにより、スリット部３ａの幅を広げることにより生じる問題点、すなわち、電子部品１０の立ち上がりに起因する電子部品１０の姿勢不良等といった従来の問題点を解決することができる。
【００２１】
なお、第一の態様では、カバーテープ２同士を接続する際に、二本のカバーテープ２の端部２ｄ同士を当接させた状態又は端部２ｄ同士にやや間隔を開けた状態で接続テープ５を貼付したが、図２（ｂ）に示すように、二本のカバーテープ２の端部２ｄ同士を上下に重ね合わせた状態で接続テープ５を貼付してもよい。また、第一の態様では、接続テープ５をカバーテープ２に貼付する際に、接続テープ５の粘着面（裏面）をカバーテープ２の裏面に向けて貼付したが、接続テープ５の粘着面をカバーテープ２の表面に向けて貼付してもよい。
【００２２】
［第二の態様］
図３（ａ）に示す接続テープ６は、カバーテープ２と略同様の幅を有している。左側縁部６ａと右側縁部６ｂとの間の中央部６ｃには、長手方向に沿って延在するスリット６ｄが設けられている。このスリット６ｄは長手方向に沿うとともに互いに略同じ間隔を開けて複数設けられている。なお、接続テープ６の幅がカバーテープ２と略同じであり中央部６ｃにスリット６ｄが設けられているので、左右側縁部６ａ、６ｂのそれぞれの幅は、カバーテープ２の幅の半分よりも狭いことになる。また、接続テープ６の裏面が粘着面とされている。カバーテープ２同士を接続するには、スリット６ｄ同士の間を切断し、また、二本のカバーテープ２の端部２ｄ同士を当接させた状態又は端部２ｄ同士にやや間隔を開けた状態とする。そして、接続テープ６をカバーテープ２と略平行になるように配設しカバーテープ２の裏面側（表面側でもよい。）に接続テープ６の粘着面（接続テープ６の裏面）を向けて、接続テープ６をカバーテープ２の端部２ａ同士にまたがるように貼付すればよい。なお、この際に、接続テープ６のスリット６ｄがない部分は、カバーテープ２に接続テープ６を貼付する際、又は、貼付した後に接続して除去する必要がある。また、接続テープ６のスリット６ｄがカバーテープ２の幅方向の中央部に重なるようにカバーテープ２に接続テープ６を貼る必要がある。
【００２３】
ここで、接続テープ６をカバーテープ２に貼付した状態でカバーテープ２を剥離用部材３のスリット部３ａに通過させる際には、接続テープ６の中央部６ｃは剥離用部材３のスリット部３ａの中央部３ｂを通過し、接続テープ６の左右側縁部６ａ、６ｂはスリット部３ａの左右端部３ｄ、３ｅを通過する。このとき、接続テープ６の中央部６ｃにはスリット６ｄが設けられているので、接続テープ６をカバーテープ２に貼付しても接続テープ６の中央部６ｃは一枚のカバーテープ２の厚みを有するのみであって、剥離用部材３の突出部３ｃと接続テープ５とが接することもない。従って、接続テープ６の中央部６ｃは、剥離用部材３のスリット部３ａにおける幅の狭い中央部３ｂを円滑に通過できる。これにより、スリット部３ａの幅を広げる必要が無く、スリット部３ａの幅を広げることにより生じる問題点、すなわち、電子部品１０の立ち上がりに起因する電子部品１０の姿勢不良等といった従来の問題点を解決することができる。
【００２４】
なお、図３（ａ）に示した接続テープ６において、図３（ｂ）に示すように、各スリット６ｄ同士の間及びスリット６ｄの端部６ｆにミシン目６ｅを設けてもよい。このとき、幅方向に沿って接続テープ６を容易に切断でき、接続テープ６をカバーテープ２に貼付するときの手間を省くことができる。また、このように、接続テープ６にミシン目６ｅが設けられている場合において、この接続テープ６を用いてカバーテープ２同士を接続する際には、各スリット６ｄ間のミシン目６ｅで接続テープ６を切断し、その後、（ｉ）切断した接続テープ６の端部６ｆのミシン目６ｅでさらに接続テープ６を切断しその切断した幅の狭い接続テープ６（左側縁部６ａ、右側縁部６ｂ）をカバーテープ２の左側縁部同士及び右側縁部同士にまたがって貼付してもよいし、又は、（ｉｉ）切断した接続テープ６をカバーテープ２同士にまたがって貼付し、さらにその後、スリット６ｄの端部６ｆのミシン目６ｅで接続テープ６を切断してスリット６ｄが無い部分の接続テープ６を除去してもよい。
また、図３（ｂ）に示すように、接続テープ６の粘着面に剥離紙が貼られているような場合、剥離紙を除く接続テープ６が図３（ｂ）に示すミシン目６ｅの位置で予め切断されていてもよい。
【００２５】
［第三の態様］
図３（ｃ）に示す接続テープ６は、図３（ａ）に示す接続テープ６においてスリット６ｄが長手方向の全長にわたって設けられている。そして、図３（ｃ）に示すように、この接続テープ６は、剥離紙に支持された状態で二本のテープとされている。この二本のテープを構成する左側縁部６ａ及び右側縁部６ｂのそれぞれは、カバーテープ２の幅の半分よりも狭い幅を有するテープであって、その裏面が粘着面とされている。この左側縁部６ａ及び右側縁部６ｂを用いてカバーテープ２同士を接続するには、図４に示すように、まず、二本のカバーテープ２の端部２ｄ同士を当接させた状態又は端部２ｄ同士にやや間隔を開けた状態とする。その後、接続テープ６の左右側縁部６ａ、６ｂを互いに略平行に配設した状態で互いに間隔をあけて、二本のカバーテープ２の左右側縁部２ａ、２ｂ同士にまたがるように貼付すればよい。
【００２６】
なお、この際に、左側縁部６ａ及び右側縁部６ｂの一端部を一緒に剥離紙から剥離しカバーテープ２同士にまたがって貼付して、その後、カバーテープ２に貼付されていない左側縁部６ａ及び右側縁部６ｂの他端部を切断する。この場合、剥離紙の幅をカバーテープ２の幅と略等しいものとすれば、左側縁部６ａ及び右側縁部６ｂをカバーテープ２の左側縁部２ａ及び右側縁部２ｂにまたがって貼付しやすい。また、左側縁部６ａ、右側縁部６ｂをそれぞれ一本ずつ切断して、カバーテープ２の左側縁部２ａ及び右側縁部２ｂ同士にまたがって一本ずつ貼付してもよい。この場合、図４（ｃ）に示す形態とは異なり、カバーテープ２の半分よりも狭い幅を有しかつその裏面が粘着面とされた一本の接続テープ６が、この接続テープ６と略同様の幅を有する剥離紙に支持された形態となっていてもよい。
さらに、図４に示すように、左側縁部６ａ及び右側縁部６ｂをカバーテープ２同士の表裏両面に貼付してもよく、表裏両面に貼付すればカバーテープ２同士をより確実に接続することができる。
【００２７】
そして、左右側縁部６ａ、６ｂをカバーテープ２に貼付した状態でカバーテープ２を剥離用部材３のスリット部３ａに通過させる際には、接続テープ６の中央部６ｃは剥離用部材３のスリット部３ａにおける中央部３ｂを通過し、接続テープ６の左右側縁部６ａ、６ｂはスリット部３ａの左右端部３ｄ、３ｅを通過する。このとき、接続テープ６の中央部６ｃは、一枚のカバーテープ２の厚みを有するのみであって、接続テープ６の中央部６ｃは剥離用部材３のスリット部３ａにおける幅の狭い中央部３ｂを円滑に通過できる。これにより、スリット部３ａの幅を広げる必要が無く、スリット部３ａの幅を広げることにより生じる問題点、すなわち、電子部品１０の立ち上がりに起因する電子部品１０の姿勢不良等といった従来の問題点を解決することができる。
【００２８】
［第四の態様］
図５に示す接続テープ７は、カバーテープ２の幅よりも狭い幅を有している。接続テープ７の裏面が粘着面とされている。この接続テープ７を二本用いてカバーテープ２同士を接続する際には、二本の接続テープ７のそれぞれを、略平行に配設した状態で互いに間隔を開けて、二本のカバーテープ２の左右側縁部２ａ、２ｂ同士にまたがるように貼付するとともに、二本の接続テープ７のそれぞれを幅方向における略中央部で長手方向に沿うように二つ折りにし二本のカバーテープ２の表裏両面にまたがるように接続テープ７をカバーテープ２に貼付すればよい。このとき、接続テープ７はカバーテープ２の幅よりも狭い幅となっており幅方向における略中央部で折り曲げられた状態とされているので、貼付された状態の二本の接続テープ７の間には隙間７ａが形成される。そして、二本の接続テープ７をカバーテープ２に貼付した状態でカバーテープ２を剥離用部材３のスリット部３ａに通過させる際には、接続テープ７同士の間に形成された隙間７ａは剥離用部材３のスリット部３ａにおける中央部３ｂを通過し、二つ折りにされた接続テープ７はスリット部３ａの左右端部３ｄ、３ｅを通過する。このとき、接続テープ７をカバーテープ２に貼付しても接続テープ７同士の隙間７ａは一枚分のカバーテープ２の厚みを有するのみであって、剥離用部材３のスリット部３ａにおける幅の狭い中央部３ｂの幅を広げること無く、接続テープ７とカバーテープ２との貼付部分はスリット部３ａを円滑に通過できる。これにより、電子部品１０の立ち上がりに起因する電子部品１０の姿勢不良等といった従来の問題点を解決することができる。また、接続カバー７を二つ折りにしてカバーテープ２同士の表裏両面に貼付しているので、カバーテープ２同士を確実に接続できる。
【００２９】
【発明の効果】
本発明の接続テープによれば、スプライシングしたカバーテープが剥離用部材のスリット部を円滑に通過できる。これにより、電子部品の立ち上がりに起因する電子部品の姿勢不良等といった従来の問題点を解決することができる。
【図面の簡単な説明】
【図１】本実施の形態に係るテープフィーダを示す斜視図である。
【図２】本実施の形態の第一の態様に係る（ａ）接続テープを示す斜視図（ｂ）接続テープを二本のカバーテープ同士にまたがって貼付した状態を示す側面図である。
【図３】（ａ）（ｂ）本実施の形態の第二の態様に係る接続テープを示す斜視図（ｃ）本実施の形態の第三の態様に係る接続テープを示す斜視図である。
【図４】前記第三の態様に係る接続テープを用いたカバーテープの接続方法を説明するための斜視図である。
【図５】本実施の形態の第四の態様に係る接続テープを用いたカバーテープの接続方法を説明するための斜視図である。
【図６】周知の部品搬送テープを示す斜視図である。
【図７】前記部品搬送テープからカバーテープを剥離する際の細部構造を説明するための（ａ）斜視図（ｂ）断面図（ｃ）平面図である。
【図８】従来の問題点を説明するための斜視図である。
【符号の説明】
Ａ      部品搬送テープ
１      キャリアテープ
２      カバーテープ
２ａ      左側縁部
２ｂ      右側縁部
５、６、７      接続テープ
５ａ、６ａ      左側縁部
５ｂ、６ｂ      右側縁部
５ｃ、６ｃ      中央部
６ｄ      スリット
１０      電子部品
【図１】
0004187978.tif 000002
【図２】
0004187978.tif 000003
【図３】
0004187978.tif 000004
【図４】
0004187978.tif 000005
【図５】
0004187978.tif 000006
【図６】
0004187978.tif 000007
【図７】
0004187978.tif 000008
【図８】
0004187978.tif 000009